(57)【要約】【課題】ケーブル制振装置の施工性【解決手段】  定着フランジ２１は、半筒状の第１胴部２１ａ１と、第２胴部２１ａ２と、第１胴部２１ａ１の軸方向の一端に設けられた第１フランジ２１ｂ１と、第２胴部２１ａ２の軸方向の一端に設けられた第２フランジ２１ｂ２と、第１胴部２１ａ１の軸方向の他端に設けられた第３フランジ２１ｂ３と、第２胴部２１ａ２の軸方向の他端に設けられた第４フランジ２１ｂ４と、第１胴部２１ａ１と第２胴部２１ａ２を周方向に繋ぐように構成された少なくとも１つのヒンジ２１ｄとを備えている。【選択図】図３
2019056263.tif 000002
【特許請求の範囲】
【請求項１】
ケーブルを固定する固定部に取り付けられる筒状の定着フランジと、
前記定着フランジに対向するように配置されるケーブルフランジと、
前記定着フランジと前記ケーブルフランジとの間に配置され、前記定着フランジと前記ケーブルフランジとにそれぞれ固定される粘弾性体と
を備え、
前記定着フランジは、
半筒状の第１胴部と、
前記第１胴部に対向した半筒状の第２胴部と、
前記第１胴部の軸方向の一端に設けられ、かつ、前記固定部に取り付けられる第１フランジと、
前記第２胴部の軸方向の一端に設けられ、かつ、前記固定部に取り付けられる第２フランジと、
前記第１胴部の軸方向の他端に設けられ、かつ、前記ケーブルフランジに対向する第３フランジと、
前記第２胴部の軸方向の他端に設けられ、かつ、前記ケーブルフランジに対向する第４フランジと、
前記第１胴部と前記第２胴部を周方向に繋ぐように構成された少なくとも１つのヒンジと
を備えた、
ケーブル制振装置。
【請求項２】
前記ケーブルフランジは、
ケーブルの外周面に装着される半筒状の第３胴部と、
前記第３胴部に対向し、ケーブルの外周面に装着される半筒状の第４胴部と、
前記第３胴部の軸方向の一端に設けられ、かつ、前記第３フランジまたは前記第４フランジに対向する第５フランジと、
前記第４胴部の軸方向の一端に設けられ、かつ、前記第３フランジまたは前記第４フランジに対向する第６フランジと、
前記第３胴部と前記第４胴部を周方向に繋ぐように構成された少なくとも１つのヒンジと
を備えた、
請求項１に記載されたケーブル制振装置。
【請求項３】
ケーブルを固定する固定部に取り付けられる筒状の定着フランジと、
前記定着フランジに対向するように配置されるケーブルフランジと、
前記定着フランジと前記ケーブルフランジとの間に配置され、前記定着フランジと前記ケーブルフランジとにそれぞれ固定される粘弾性体と
を備え、
前記ケーブルフランジは、
ケーブルの外周面に装着される半筒状の第３胴部と、
前記第３胴部に対向し、ケーブルの外周面に装着される半筒状の第４胴部と、
前記第３胴部の軸方向の一端に設けられ、かつ、前記定着フランジに対向する第５フランジと、
前記第４胴部の軸方向の一端に設けられ、かつ、前記定着フランジに対向する第６フランジと、
前記第３胴部と前記第４胴部を周方向に繋ぐように構成された少なくとも１つのヒンジと
を備えた、
ケーブル制振装置。
【発明の詳細な説明】
【技術分野】
【０００１】
本発明は、ケーブル制振装置に関する。
【背景技術】
【０００２】
特開２０１３−２４５５３６号公報には、斜張橋ケーブルの振動を抑えるケーブル制振装置が開示されている。ここで開示されるケーブル制振装置は、定着フランジとケーブルフランジとを備えている。定着フランジとケーブルフランジとは、それぞれ半割型の部材である。定着フランジとケーブルフランジとは、ケーブルが固定された部位において、ケーブルを挟むように取り付けられる。定着フランジの合わせ面と、ケーブルフランジの合わせ面は、それぞれボルトナットで締結されていた。
【先行技術文献】
【特許文献】
【０００３】
【特許文献１】特開２０１３−２４５５３６号公報
【発明の概要】
【発明が解決しようとする課題】
【０００４】
ケーブル制振装置の定着フランジとケーブルフランジは、それぞれ半割型の部材であり、ケーブルを挟むように取り付けられてボルトナットで締結されている。これに対してケーブル制振装置の施工性を向上させたい。
【課題を解決するための手段】
【０００５】
ここで提案されるケーブル制振装置は、ケーブルを固定する固定部に取り付けられる筒状の定着フランジと、定着フランジに対向するように配置されるケーブルフランジと、定着フランジとケーブルフランジとの間に配置され、定着フランジとケーブルフランジとにそれぞれ固定される粘弾性体とを備えている。
定着フランジは、半筒状の第１胴部と、第１胴部に対向した半筒状の第２胴部と、第１胴部の軸方向の一端に設けられ、かつ、固定部に取り付けられる第１フランジと、第２胴部の軸方向の一端に設けられ、かつ、固定部に取り付けられる第２フランジと、第１胴部の軸方向の他端に設けられ、かつ、ケーブルフランジに対向する第３フランジと、第２胴部の軸方向の他端に設けられ、かつ、ケーブルフランジに対向する第４フランジと、第１胴部と第２胴部を周方向に繋ぐように構成された少なくとも１つのヒンジとを備えている。
かかるケーブル制振装置によれば、定着フランジを固定部に取り付けやすくなる。
【０００６】
ここで、ケーブルフランジは、ケーブルの外周面に装着される半筒状の第３胴部と、第３胴部に対向し、ケーブルの外周面に装着される半筒状の第４胴部と、第３胴部の軸方向の一端に設けられ、かつ、定着フランジに対向する第５フランジと、第４胴部の軸方向の一端に設けられ、かつ、定着フランジに対向する第６フランジと、第３胴部と第４胴部を周方向に繋ぐように構成された少なくとも１つのヒンジとを備えていてもよい。
かかるケーブル制振装置によれば、ケーブルフランジを固定部に取り付けやすくなる。
【図面の簡単な説明】
【０００７】
【図１】図１は、ケーブル１０に取り付けられたケーブル制振装置２０を示す側面図である。
【図２】図２は、定着フランジ２１の側面図である。
【図３】図３は、図２のＩＩＩ−ＩＩＩ断面図である。
【図４】図４は、定着フランジ２１のケーブルフランジ２２に対向する端面を示す正面図である。
【図５】図５は、ケーブルフランジ２２の正面図である。
【図６】図６は、図５のＶＩ−ＶＩ断面図である。
【図７】図７は、粘弾性体２３の平面図である。
【図８】図８は、粘弾性体２３の部分断面図である。
【図９】図９は、粘弾性体２３が取り付けられた例を示す正面図である。
【図１０】図１０は、粘弾性体２３が取り付けられた例を示す正面図である。
【図１１】図１１は、粘弾性体２３が取り付けられた例を示す正面図である。
【図１２】図１２は、粘弾性体２３が取り付けられた例を示す正面図である。
【発明を実施するための形態】
【０００８】
以下、ここで提案されるケーブル制振装置を図面に基づいて説明する。なお、本発明は以下の実施形態に限定されない。各図面は模式的に描かれており、必ずしも実物を反映していない。また、各図面は、一例を示すのみであり、特に言及されない限りにおいて本発明を限定しない。また、同一の作用を奏する部材・部位には、適宜に同一の符号を付し、重複する説明を省略する。
【０００９】
図１は、ケーブル１０に取り付けられたケーブル制振装置２０を示す側面図である。
ここで提案されるケーブル制振装置２０は、定着フランジ２１と、ケーブルフランジ２２と、粘弾性体２３と、カバー２４を備えている。
【００１０】
ケーブル１０は、例えば、斜張橋において、主塔（図示省略）と、主塔に架け渡らせた橋桁１２との間に斜めに張られている。ここで、橋桁１２には、ケーブル１０を固定するための固定部１２ａが設けられている。さらに、固定部１２ａには、ケーブル１０の一端を締結する締結部（図示省略）が設けられている。ケーブル制振装置２０は、図１に示すように、ケーブル１０の振動を小さく抑える装置であり、固定部１２ａとケーブル１０との間に設けられている。
【００１１】
定着フランジ２１は、ケーブル１０の端部を固定する固定部１２ａに取り付けられる部材である。
ケーブルフランジ２２は、ケーブル１０に取り付けられるフランジ部材であり、かつ、定着フランジ２１に対向するように配置される部材である。
粘弾性体２３は、定着フランジ２１とケーブルフランジ２２との間に配置され、定着フランジ２１とケーブルフランジ２２とにそれぞれ固定される部材である。
【００１２】
図２は、定着フランジ２１の側面図である。図３は、図２のＩＩＩ−ＩＩＩ断面図である。図４は、定着フランジ２１のケーブルフランジ２２に対向する端面を示す正面図である。図４では、定着フランジ２１の第１胴部２１ａ１と第２胴部２１ａ２とで構成される円筒形状の中心軸方向において、ケーブルフランジ２２に対向する側が正面として規定されている。図４中において、ケーブル１０は二点鎖線で示されている。図４に示されているように、橋桁１２に張られたケーブル１０は、固定部１２ａに取り付けられた定着フランジ２１に対して必ずしも中心に配置されない。
定着フランジ２１は、第１胴部２１ａ１と、第２胴部２１ａ２と、第１フランジ２１ｂ１と、第２フランジ２１ｂ２と、第３フランジ２１ｂ３と、第４フランジ２１ｂ４と、ヒンジ２１ｄとを備えている。
【００１３】
第１胴部２１ａ１と第２胴部２１ａ２とは、それぞれ半筒状の部位である。この実施形態では、第１胴部２１ａ１と第２胴部２１ａ２とは、図３に示されているように、内径面を対向させると略円筒状となる。
【００１４】
第１フランジ２１ｂ１は、第１胴部２１ａ１の軸方向の一端に設けられ、かつ、固定部１２ａに取り付けられる部位である。
第２フランジ２１ｂ２は、第２胴部２１ａ２の軸方向の一端に設けられ、かつ、固定部１２ａに取り付けられる部位である。
【００１５】
この実施形態では、第１フランジ２１ｂ１と第２フランジ２１ｂ２とは、図３に示されているように、第１胴部２１ａ１と第２胴部２１ａ２の内径面を対向させると、略円板状になる。第１フランジ２１ｂ１と第２フランジ２１ｂ２とには、複数の円弧状の長穴２１ｅが形成されている。第１フランジ２１ｂ１と第２フランジ２１ｂ２とには、それぞれ周方向に３つの長穴２１ｅが形成されている。合計６つの長穴２１ｅは、周方向に大凡均等に配置されている。
【００１６】
第３フランジ２１ｂ３は、第１胴部２１ａ１の軸方向の他端に設けられ、かつ、ケーブルフランジ２２に対向する部位である。
第４フランジ２１ｂ４は、第２胴部２１ａ２の軸方向の他端に設けられ、かつ、ケーブルフランジ２２に対向する部位である。
【００１７】
この実施形態では、第３フランジ２１ｂ３と第４フランジ２１ｂ４とは、図４に示されているように、第１胴部２１ａ１と第２胴部２１ａ２の内径面を対向させると、略円板状になる。第３フランジ２１ｂ３と第４フランジ２１ｂ４には、粘弾性体２３を取り付けるための複数の取付孔２１ｆが形成されている。第３フランジ２１ｂ３と第４フランジ２１ｂ４には、それぞれ周方向に４つの取付孔２１ｆが形成されている。合計８つの取付孔２１ｆは、周方向に沿って概ね均等に配置されている。
【００１８】
この実施形態では、定着フランジ２１は、中間フランジ２１ｂ５と、中間フランジ２１ｂ６と、第１接合部２１ｃ１と、第２接合部２１ｃ２とをさらに備えている。
【００１９】
中間フランジ２１ｂ５は、第１フランジ２１ｂ１と第３フランジ２１ｂ３との間で、第１胴部２１ａ１から外径方向に突出した円弧状のフランジである。
中間フランジ２１ｂ６は、第２フランジ２１ｂ２と第４フランジ２１ｂ４との間で、第２胴部２１ａ２から外径方向に突出した円弧状のフランジである。
【００２０】
第１接合部２１ｃ１と第２接合部２１ｃ２は、図３に示されているように、それぞれ第１胴部２１ａ１と第２胴部２１ａ２が筒状になるように内径面を対向させて重ねた際に、重ねられる部位である。図３に示されているように、第１接合部２１ｃ１と第２接合部２１ｃ２とは、厳密に重なっていてもよいし、少し隙間があってもよい。
【００２１】
この実施形態では、第１胴部２１ａ１に設けられた第１接合部２１ｃ１と第２接合部２１ｃ２は、それぞれ図２および図３に示されているように、第１フランジ２１ｂ１と中間フランジ２１ｂ５との間で、第１胴部２１ａ１の周方向の端部に設けられている。かかる第１接合部２１ｃ１と第２接合部２１ｃ２は、第１胴部２１ａ１の外周面から外径方向に延びた板材である。この実施形態では、第１フランジ２１ｂ１と、第３フランジ２１ｂ３と、中間フランジ２１ｂ５は、それぞれ第１胴部２１ａ１に溶接されている。また、第１接合部２１ｃ１と第２接合部２１ｃ２は、第１胴部２１ａ１の周方向の端部と、第１フランジ２１ｂ１と、中間フランジ２１ｂ５とにそれぞれ溶接されている。
【００２２】
第２胴部２１ａ２に設けられた第１接合部２１ｃ１と第２接合部２１ｃ２は、第２フランジ２１ｂ２と中間フランジ２１ｂ６との間で、第２胴部２１ａ２の周方向の端部に設けられている。かかる第１接合部２１ｃ１と第２接合部２１ｃ２は、第２胴部２１ａ２の外周面から外径方向に延びた板材である。この実施形態では、第２フランジ２１ｂ２と、第４フランジ２１ｂ４と、中間フランジ２１ｂ６は、それぞれ第２胴部２１ａ２に溶接されている。第１接合部２１ｃ１と第２接合部２１ｃ２は、第２胴部２１ａ２の周方向の端部と、第２フランジ２１ｂ２と、中間フランジ２１ｂ６とにそれぞれ溶接されている。
【００２３】
第１接合部２１ｃ１と第２接合部２１ｃ２とには、それぞれボルトナット２５（図１参照）を取り付けるための締結孔２１ｇが形成されている。
【００２４】
ヒンジ２１ｄは、第１胴部２１ａ１と第２胴部２１ａ２を周方向に繋ぐように構成されている。
この実施形態では、ヒンジ２１ｄは、第１胴部２１ａ１の第１接合部２１ｃ１と、第２胴部２１ａ２の第１接合部２１ｃ１との外径方向の端面を繋ぐように設けられている。
これによって、第１胴部２１ａ１と第２胴部２１ａ２とは、ヒンジ２１ｄを起点に周方向に開かれる。
【００２５】
この実施形態では、ヒンジ２１ｄは、第１胴部２１ａ１と第２胴部２１ａ２とに１つ設けられているが、かかる形態に限定されない。例えば、ヒンジ２１ｄは、軸方向において複数のヒンジ２１ｄが設けられていてもよく、ヒンジ２１ｄは、第１胴部２１ａ１と第２胴部２１ａ２を周方向に繋ぐように少なくとも１つ設けられているとよい。また、ヒンジ２１ｄの構造も図示された形態に限定されない。
【００２６】
定着フランジ２１は、図２および図３に示されているように、第１胴部２１ａ１と第２胴部２１ａ２を周方向に繋ぐように構成された少なくとも１つのヒンジ２１ｄを備えている。定着フランジ２１の第１胴部２１ａ１と第２胴部２１ａ２は、ヒンジ２１ｄによって周方向に開かれる。このため、ケーブル１０が取り付けられた固定部１２ａ（図１参照）に対して、定着フランジ２１は、第１胴部２１ａ１と第２胴部２１ａ２を周方向に開いて取り付けられる。このように、定着フランジ２１は、ヒンジ２１ｄによって第１胴部２１ａ１と第２胴部２１ａ２とが繋がっているので、第１胴部２１ａ１の接合部と第２胴部２１ａ２の接合部とを合せやすい。つまり、第１接合部２１ｃ１と第２接合部２１ｃ２を合せやすい。さらに定着フランジ２１を支持しやすいため、定着フランジ２１を取り付ける際に要する作業者の数を少なくできるとともに、ケーブル１０が取り付けられた固定部１２ａに対して定着フランジ２１を適切に取り付けやすい。このように、ここで提案される定着フランジ２１を備えたケーブル制振装置２０は固定部１２ａに対する施工性がよい。
【００２７】
定着フランジ２１が固定部１２ａに取り付けられる際には、例えば、ヒンジ２１ｄは上部に配置されるとよい。この場合、定着フランジ２１の第１胴部２１ａ１と第２胴部２１ａ２は、周方向に開かれてケーブル１０を跨ぐように固定部１２ａに取り付けられるとよい。また、ケーブル１０を跨いだ後で閉じられる際には、第１胴部２１ａ１と第２胴部２１ａ２とは自重で閉じられる。このように、ヒンジ２１ｄが上部に配置されることによって、固定部１２ａに対して定着フランジ２１を取り付ける際の作業性がよくなる。
【００２８】
この実施形態では、定着フランジ２１が取り付けられる固定部１２ａには、アンカーボルト１２ｂが設置されている。アンカーボルト１２ｂは、定着フランジ２１が取り付けられる固定部１２ａの端面に予め定められた位置に突出している。定着フランジ２１の第１フランジ２１ｂ１と第２フランジ２１ｂ２とに形成された長穴２１ｅは、アンカーボルト１２ｂに装着されてナットで固定される。この際、長穴２１ｅは、円弧状の長孔であり、固定部１２ａの端面に対して周方向に動かすことによって、定着フランジ２１の向きを調整できる。
【００２９】
図５は、ケーブルフランジ２２の正面図である。図６は、図５のＶＩ−ＶＩ断面図である。
また、この実施形態では、ケーブルフランジ２２についても、ヒンジ２２ｄが取り付けられており、ヒンジ２２ｄを起点に開かれるように構成されている。
【００３０】
ケーブルフランジ２２は、第３胴部２２ａ１と、第４胴部２２ａ２と、第５フランジ２２ｂ１と、第６フランジ２２ｂ２と、ヒンジ２２ｄとを備えている。
【００３１】
第３胴部２２ａ１と第４胴部２２ａ２は、それぞれケーブル１０の外周面に装着される半筒状を有している。この実施形態では、図５に示されているように、第３胴部２２ａ１と第４胴部２２ａ２との内周面には、ゴムシートなどの滑り止め部材２２ｅが取り付けられている。滑り止め部材２２ｅには、ケーブル１０をケーブルフランジ２２で保持する上で滑るのを抑え、かつ、ケーブル１０の損傷を緩和する機能を奏する。
第３胴部２２ａ１と第４胴部２２ａ２とは、図１に示されているように、内径面を対向させると略円筒状となる。第３胴部２２ａ１と第４胴部２２ａ２とで構成される内径（滑り止め部材２２ｅを含めた内径）は、ケーブル１０の外径よりも少し小さくなりうる。
【００３２】
第５フランジ２２ｂ１は、第３胴部２２ａ１の軸方向の一端に設けられている。第５フランジ２２ｂ１は、図１に示されているように、定着フランジ２１（ここでは、第３フランジ２１ｂ３または第４フランジ２１ｂ４）に対向するようにケーブル１０に取り付けられる。
第６フランジ２２ｂ２は、第４胴部２２ａ２の軸方向の一端に設けられている。第６フランジ２２ｂ２は、定着フランジ２１（ここでは、第３フランジ２１ｂ３または第４フランジ２１ｂ４）に対向するようにケーブル１０に取り付けられる。
【００３３】
第５フランジ２２ｂ１と第６フランジ２２ｂ２は、図５に示されているように、第３胴部２２ａ１と第４胴部２２ａ２の内径面を対向させると、略円板状になる。第５フランジ２２ｂ１と第６フランジ２２ｂ２には、粘弾性体２３（図１参照）を取り付けるための複数の取付孔２２ｆが形成されている。取付孔２２ｆは、それぞれ予め定められた一方向に沿った長孔である。
【００３４】
この実施形態では、取付孔２２ｆは、半円板形状の第５フランジ２２ｂ１と第６フランジ２２ｂ２の周方向の端面に沿った一方向に沿った長孔で形成されている。取付孔２２ｆは、定着フランジ２１の第３フランジ２１ｂ３と第４フランジ２１ｂ４とに形成された取付孔２１ｆに、それぞれ対向しうるように配置されている。この実施形態では、半円板形状の第５フランジ２２ｂ１と第６フランジ２２ｂ２には、それぞれ周方向に４つの取付孔２２ｆが形成されている。合計８つの取付孔２２ｆは、周方向に沿って概ね均等に配置されている。
【００３５】
この実施形態では、ケーブルフランジ２２は、リブ２２ｂ３、２２ｂ４と、第３接合部２２ｃ１と、第４接合部２２ｃ２とをさらに備えている。
リブ２２ｂ３は、第３胴部２２ａ１と第５フランジ２２ｂ１とからそれぞれ立ち上がるように設けられている。
リブ２２ｂ４は、第４胴部２２ａ２と第６フランジ２２ｂ２とからそれぞれ立ち上がるように設けられている。
【００３６】
第３接合部２２ｃ１と第４接合部２２ｃ２は、図５及び図６に示されているように、それぞれ第３胴部２２ａ１と第４胴部２２ａ２が筒状になるように内径面を対向させて重ねた際に、重ねられる部位である。図５に示されているように、第３接合部２２ｃ１と第４接合部２２ｃ２とは、厳密に重なっていてもよいし、少し隙間があってもよい。
【００３７】
この実施形態では、第３胴部２２ａ１に設けられた第３接合部２２ｃ１と第４接合部２２ｃ２は、それぞれ図５および図６に示されているように、第３胴部２２ａ１の周方向の端部に設けられている。かかる第３接合部２２ｃ１と第２接合部２２ｃ２は、第３胴部２２ａ１の外周面から外径方向に延びた板材である。この実施形態では、第３胴部２２ａ１と第５フランジ２２ｂ１とリブ２２ｂ３は、溶接されている。さらに第３接合部２２ｃ１と第２接合部２２ｃ２は、第３胴部２２ａ１の周方向の端部と、第５フランジ２２ｂ１とにそれぞれ溶接されている。
【００３８】
第４胴部２２ａ２に設けられた第３接合部２２ｃ１と第４接合部２２ｃ２は、第４胴部２２ａ２の周方向の端部に設けられている。かかる第３接合部２２ｃ１と第４接合部２２ｃ２は、第４胴部２２ａ２の外周面から外径方向に延びた板材である。この実施形態では、第４胴部２２ａ２と第６フランジ２２ｂ２とリブ２２ｂ４は、溶接されている。さらに第３接合部２２ｃ１と第４接合部２２ｃ２は、第４胴部２２ａ２の周方向の端部と、第６フランジ２２ｂ２とにそれぞれ溶接されている。
第３接合部２２ｃ１と第４接合部２２ｃ２とには、それぞれボルトナット２６を取り付けるための締結孔２２ｇが形成されている。
【００３９】
ヒンジ２２ｄは、第３胴部２２ａ１と第４胴部２２ａ２を周方向に繋ぐように構成されている。
この実施形態では、ヒンジ２２ｄは、第３胴部２２ａ１の第３接合部２２ｃ１と、第４胴部２２ａ２の第３接合部２２ｃ１との外径方向の端面を繋ぐように設けられている。
これによって、第３胴部２２ａ１と第４胴部２２ａ２とは、ヒンジ２２ｄを起点に周方向に開かれる。
【００４０】
この実施形態では、ヒンジ２２ｄは、第３胴部２２ａ１と第４胴部２２ａ２とに１つ設けられているが、かかる形態に限定されない。例えば、ヒンジ２２ｄは、軸方向において複数のヒンジ２２ｄが設けられていてもよく、ヒンジ２２ｄは、第３胴部２２ａ１と第４胴部２２ａ２を周方向に繋ぐように少なくとも１つ設けられているとよい。また、ヒンジ２２ｄの構造も図示された形態に限定されない。
【００４１】
ケーブルフランジ２２は、図５および図６に示されているように、第３胴部２２ａ１と第４胴部２２ａ２を周方向に繋ぐように構成された少なくとも１つのヒンジ２２ｄを備えている。ケーブルフランジ２２の第３胴部２２ａ１と第４胴部２２ａ２は、ヒンジ２２ｄによって周方向に開かれる。このため、固定部１２ａに取り付けられたケーブル１０（図１参照）に対して、ケーブルフランジ２２は、第３胴部２２ａ１と第４胴部２２ａ２を周方向に開いて取り付けられる。このように、ケーブルフランジ２２は、ヒンジ２２ｄによって第３胴部２２ａ１と第４胴部２２ａ２とが繋がっているので、第３胴部２２ａ１の接合部と第４胴部２２ａ２の接合部とを合せやすい。つまり、第３接合部２２ｃ１と第４接合部２２ｃ２を合せやすい。さらに、ケーブルフランジ２２を支持しやすいため、ケーブルフランジ２２を取り付ける際に要する作業者の数を少なくできるとともに、ケーブル１０に対してケーブルフランジ２２を適切に取り付けやすい。このように、ここで提案されるケーブルフランジ２２を備えたケーブル制振装置２０は、ケーブル１０に対して施工性がよい。
【００４２】
ケーブルフランジ２２が固定部１２ａに取り付けられたケーブル１０に取り付けられる際には、例えば、ヒンジ２２ｄは上部に配置されるとよい。この場合、ケーブルフランジ２２の第３胴部２２ａ１と第４胴部２２ａ２は、周方向に開かれてケーブル１０を跨ぐようにしてケーブル１０に取り付けられるとよい。また、ケーブル１０を跨いだ後で閉じられる際には、第３胴部２２ａ１と第４胴部２２ａ２とは自重で閉じられる。このように、ヒンジ２２ｄが上部に配置されることによって、ケーブル１０に対してケーブルフランジ２２を取り付ける際の作業性がよくなる。
【００４３】
以下、ケーブル制振装置２０の取付手順の一例を説明する。
図１に示されているように、ケーブル制振装置２０は、例えば、橋桁１２の固定部１２ａに定着フランジ２１を取り付ける。次に、定着フランジ２１の第３フランジ２１ｂ３と第４フランジ２１ｂ４（図４参照）に、粘弾性体２３を取り付ける。そして、ケーブルフランジ２２をケーブル１０に取り付けるとともに、ケーブルフランジ２２と粘弾性体２３を取り付けるとよい。この際、橋桁１２の固定部１２ａに対して、定着フランジ２１を回転させ定着フランジ２１の向きを調整するとともに、定着フランジ２１の径方向に対してケーブルフランジ２２を調整することによって、ケーブルフランジ２２の中心軸に沿ってケーブル１０が通るように調整される。
【００４４】
ここで、粘弾性体２３は、図１に示すように、定着フランジ２１とケーブルフランジ２２との間に配置される部材である。図７は、粘弾性体２３の平面図である。図８は、粘弾性体２３の部分断面図である。ここで、図８には、図７のＶＩＩＩ−Ａ１−Ａ２―ＶＩＩＩ断面が示されている。
【００４５】
粘弾性体２３は、略円筒形状に成形された粘弾性成形体２３ａと、粘弾性成形体２３ａを挟む板材２３ｂ、２３ｃとを備えている。板材２３ｂ，２３ｃは、粘弾性成形体２３ａに加硫接着されているとよい。粘弾性成形体２３ａは、せん断変位に対して、所要の強度を有するように設計されているとよい。粘弾性成形体２３ａに用いられる粘弾性材料には、天然ゴムや合成ゴムをベースにし、適当な添加剤を添加した種々の高減衰ゴムが採用されうる。かかる粘弾性材料には、例えば、公知の高減衰ゴムを適宜に採用することができる。
【００４６】
この実施形態では、板材２３ｂ、２３ｃには、粘弾性成形体２３ａからはみ出た部分に、定着フランジ２１およびケーブルフランジ２２に取り付けられるためのボルト穴２３ｄが形成されている。粘弾性体２３は、橋桁１２の固定部１２ａに取り付けられた定着フランジ２１と、ケーブル１０に取り付けられたケーブルフランジ２２との間に取り付けられる。
【００４７】
図９から図１２は、それぞれ粘弾性体２３が取り付けられた例を示す正面図である。
図９では、定着フランジ２１とケーブルフランジ２２との間に、４つの粘弾性体２３が取り付けられている。図１０では、定着フランジ２１とケーブルフランジ２２との間に、３つの粘弾性体２３が取り付けられている。図１１では、定着フランジ２１とケーブルフランジ２２との間に、２つの粘弾性体２３が取り付けられている。また、図１２では、定着フランジ２１に対してケーブルフランジ２２を下方に位置が調整されている。粘弾性体２３は、定着フランジ２１およびケーブルフランジ２２に対してそれぞれボルトナット２７で取り付けられているとよい。
【００４８】
ケーブル制振装置２０は、このようにケーブル１０が取り付けられた橋桁１２の固定部１２ａに対して、定着フランジ２１とケーブルフランジ２２と粘弾性体２３が取り付けられた後で、カバー２４が取り付けられるとよい。カバー２４は、ケーブル制振装置２０を覆う部材であり、カバー２４の上端２４ａは、ケーブルフランジ２２よりも上部においてケーブル１０に取り付けられている。また、カバー２４の下端２４ｂは、定着フランジ２１の外周面に取り付けられている。この実施形態では、カバー２４の下端２４ｂは、定着フランジ２１の第３フランジ２１ｂ３および第４フランジ２１ｂ４と中間フランジ２１ｂ５，２１ｂ６との間（図２参照）において、第１胴部２１ａ１と第２胴部２１ａ２の外周面に装着されている。カバー２４は、耐候性を有し、雨などが入り込むのを防止できるとともに、所要の伸縮性や耐久性を備えた素材を用いるとよい。
【００４９】
以上、ここで提案されるケーブル制振装置について、種々説明したが、ここで提案されるケーブル制振装置は、特に言及されない限りにおいて、上述した実施形態に限定されない。
【００５０】
例えば、定着フランジ２１およびケーブルフランジ２２の具体的な構造などは、上述した実施形態に限定されず、種々変更されうる。例えば、定着フランジ２１の第１胴部２１ａ１と第２胴部２１ａ２は、略円筒形状をなしているが、略筒状であればよく、円筒形状に限定されない。ケーブルフランジ２２の第３胴部２２ａ１と第４胴部２２ａ１は、ケーブル１０に取付けられるため、ケーブル１０の外周面の外形形状に応じた形状を有しているとよい。
【符号の説明】
【００５１】
１０  ケーブル
１２  橋桁
１２ａ  固定部
１２ｂ  アンカーボルト
２０  ケーブル制振装置
２１  定着フランジ
２１ａ１  第１胴部
２１ａ２  第２胴部
２１ｂ１  第１フランジ
２１ｂ２  第２フランジ
２１ｂ３  第３フランジ
２１ｂ４  第４フランジ
２１ｂ５，２１ｂ６  中間フランジ
２１ｃ１  第１接合部
２１ｃ２  第２接合部
２１ｄ  ヒンジ
２１ｅ  長穴
２１ｆ  取付孔
２１ｇ  締結孔
２２  ケーブルフランジ
２２ａ１  第３胴部
２２ａ２  第４胴部
２２ｂ１  第５フランジ
２２ｂ２  第６フランジ
２２ｂ３，２２ｂ４  リブ
２２ｃ１  第３接合部
２２ｃ２  第４接合部
２２ｄ  ヒンジ
２２ｅ  滑り止め部材
２２ｆ  取付孔
２２ｇ  締結孔
２３  粘弾性体
２３ａ  粘弾性成形体
２３ｂ，２３ｃ  板材
２３ｄ  ボルト穴
２４  カバー
２４ａ  カバー２４の上端
２４ｂ  カバー２４の下端
【図１】
2019056263.tif 000003
【図２】
2019056263.tif 000004
【図３】
2019056263.tif 000005
【図４】
2019056263.tif 000006
【図５】
2019056263.tif 000007
【図６】
2019056263.tif 000008
【図７】
2019056263.tif 000009
【図８】
2019056263.tif 000010
【図９】
2019056263.tif 000011
【図１０】
2019056263.tif 000012
【図１１】
2019056263.tif 000013
【図１２】
2019056263.tif 000014